【事件の表示】
　特許第４０２５８５８号に関する訂正審判事件について、次のとおり審決する。
【結　論】
　特許第４０２５８５８号に係る明細書を本件審判請求書に添付された訂正明細書のとおり一群の請求項ごとに訂正することを認める。
【理　由】
１　手続の経緯 
　本件特許第４０２５８５８号の請求項１〜４に係る発明は，平成１２年１月１４日（優先権主張平成１１年４月２７日）に特願２０００−６７３４号として出願されたものであって，平成１９年１０月１９日にその特許権の設定登録がなされ，平成２６年６月２７日に本件訂正審判の請求がなされたものである。
　 
２　請求の要旨 
　本件審判の請求の要旨は，本件特許第４０２５８５８号の明細書を審判請求書に添付した訂正明細書のとおり一群の請求項ごとに訂正することを求めるものであり，訂正内容は次のとおりである（以下，本件特許第４０２５８５８号の明細書，及び特許請求の範囲をそれぞれ「願書に添付した明細書」，「本件特許請求の範囲」という。また，下線部が訂正部分である。）。　
　
（１）訂正事項１ 
　本件特許請求の範囲の請求項１における
「遊技球が特定の作動口に入球することに起因して電動役物を作動させて遊技者に有利な遊技状態とし且つ遊技球が電動役物内に設けた特定領域を通過する第２の条件のいずれかに起因して，電動役物を予め定められた所定回数連続作動させて遊技者に有利な特別遊技状態に変化させる主制御基板と，」を，
「遊技球が特定の作動口に入球することに起因して電動役物を作動させて遊技者に有利な遊技状態とし且つ遊技球が
該
前記電動役物と同一又は異なる
　
（２）訂正事項２
　願書に添付した明細書の段落【０００７】の
「遊技球が特定の作動口に入球することに起因して電動役物を作動させて遊技者に有利な遊技状態とし且つ遊技球が電動役物内に設けた特定領域を通過する第２の条件のいずれかに起因して，電動役物を予め定められた所定回数連続作動させて遊技者に有利な特別遊技状態に変化させる主制御基板と，」を，
「遊技球が特定の作動口に入球することに起因して電動役物を作動させて遊技者に有利な遊技状態とし且つ遊技球が
該
前記電動役物と同一又は異なる
　
３　当審の判断 
（１）訂正事項１について
　本件特許請求の範囲の請求項１には「所定の図柄を可変表示させる可変表示手段に表示される図柄が特定の図柄で確定する第１の条件，又は，遊技球が特定の作動口に入球することに起因して電動役物を作動させて遊技者に有利な遊技状態とし且つ遊技球が電動役物内に設けた特定領域を通過する第２の条件のいずれかに起因して，電動役物を予め定められた所定回数連続作動させて遊技者に有利な特別遊技状態に変化させる主制御基板」が記載されている。
　この記載においては，第２の条件における，遊技球が特定の作動口に入球することに起因して作動させる「電動役物」と，遊技球が通過する特定領域を設けた「電動役物内」の「電動役物」とが，同一の電動役物を意味するのか否かが不明瞭となっていた。
　また，第１の条件，又は第２の条件のいずれかに起因して，予め定められた所定回数連続作動させる「電動役物」と，第２の条件における，遊技球が特定の作動口に入球することに起因して作動させる「電動役物」とが，同一の電動役物を意味するのか否かが不明瞭となっていた。
　願書に添付した明細書には，「羽根作動口６１ａ，６１ｂに入賞すれば，これが羽根作動スイッチ６３ａ，６３ｂにより検出され，羽根６２ａ，６２ｂを所定時間（０．９秒以内）開放するよう働き，そして，この開放期間内に羽根６２ａ，６２ｂ部分から入賞があれば，第２特別電動役物６０の下部に流下し，回転体６８の回転により，遊技球がランダムに回転体６８に当たり，Ｖ通過口６９を通過したり，しなかったりする。賞球がＶ通過口６９を通過すると第２特別電動役物６０を遊技者に有利な内容とする。従って，大当り状態となるか否かは，Ｖ通過口６９を遊技球が通過するか否かにより決定される。これが第２の条件であり，」（段落【００６０】参照）と記載されている。
　よって，第２の条件における，遊技球が特定の作動口に入球することに起因して作動させる「電動役物」と，遊技球が通過する特定領域（Ｖ通過口６９）を設けた「電動役物内」の「電動役物」は，いずれも第２特別電動役物６０であり，両者は同一のものであるといえる。
　また，願書に添付した明細書には，「この第１の条件が成立して大当り状態となると，大入賞口５２が約３０秒間又は遊技球が１０個入賞したことがカウントスイッチ５４により検出されるまでいずれか早く経過する時まで開放され，このとき大入賞口５２内に入賞した遊技球が特別領域を通過したことがＶスイッチ５５により検出されると一旦大入賞口５２が閉鎖された後に再び開放され，この開放動作を予め定められたラウンド回数，例えば最大１６回繰り返す。」（段落【００５９】参照），「第２の条件が成立して大当り状態となると，羽根６２ａ，６２ｂが約３０秒間又は遊技球が１０個入賞したことがカウントスイッチ６４により検出されるまでいずれか早く経過する時まで開放され，一旦羽根６２ａ，６２ｂが閉鎖された後に再び開放され，この開放動作を最大１６回繰り返す。」（段落【００６０】参照）と記載されている。
　これらの記載における，大入賞口５２は第１特別電動役物５０を構成するものであり，羽根６２ａ，６２ｂは第２特別電動役物６０を構成するものであることが把握できる（段落【００１７】参照）。
　よって，第１の条件，又は第２の条件のいずれかに起因して，予め定められた所定回数連続作動させる「電動役物」は，第２の条件における，遊技球が特定の作動口に入球することに起因して作動させる「電動役物」（第２特別電動役物６０）と同一のものと異なるものがあるといえる。
　訂正事項１においては，「遊技球が電動役物内に設けた特定領域を通過する」を「遊技球が
該
前記電動役物と同一又は異なる
　そして，訂正事項１は，願書に添付した明細書の記載に基づくものであって，当初明細書等のすべてを総合することにより導かれる技術的事項との関係において新たな技術的事項を導入するものではなく，願書に添付した明細書又は図面に記載した事項の範囲内においてされたものである。
　また，訂正事項１は，訂正の前後で特許請求の範囲に記載された発明の拡張又は変更はないから，実質上特許請求の範囲を拡張し，又は変更するものでもない。
　したがって，訂正事項１は，特許法第１２６条第５項及び第６項の規定に適合する。
　
（２）訂正事項２について
　訂正事項２は，本件特許請求の範囲における請求項１を訂正事項１のとおりに訂正することに伴い，訂正された請求項１との整合を図るために，願書に添付した明細書のうち関連する発明の詳細な説明の記載を訂正するものであるから，特許法第１２６条第１項ただし書き第３号に掲げる，明瞭でない記載の釈明を目的とするものである。　
　そして，訂正事項２は，願書に添付した明細書の記載に基づくものであって，当初明細書等のすべてを総合することにより導かれる技術的事項との関係において新たな技術的事項を導入するものではなく，願書に添付した明細書又は図面に記載した事項の範囲内においてされたものである。
　また，訂正事項２は，訂正の前後で特許請求の範囲に記載された発明の拡張又は変更はないから，実質上特許請求の範囲を拡張し，又は変更するものでもない。
　したがって，訂正事項２は，特許法第１２６条第５項及び第６項の規定に適合する。
　
４　むすび
　以上のとおりであるから，本件訂正審判の請求は，特許法第１２６条第１項ただし書き第３号に掲げる事項を目的とし，かつ，同条第５項及び第６項の規定にも適合する。
　よって，結論のとおり審決する。